(57)【要約】【課題】  変速機ケース内の温度上昇を抑制でき、Ｖベルトの早期劣化を防止して耐久性を高めることのできるエンジンを提供する。【解決手段】  Ｖベルト５７を、駆動プーリ５５，従動プーリ５６との接触部が樹脂で構成されたブロックを複数個連結してなる樹脂ベルト５７とするとともに、上記駆動プーリ５５と従動プーリ５６との隙間を駆動プーリ５５の半径より小さくし、エンジンケース２２に形成された潤滑油室９５を変速機ケース４５の下方に、かつ該変速機ケース４５の底面との間に第１空間ｂが生じるように膨出させた。【選択図】      図１８
2007278511.tif 000002
【特許請求の範囲】
【請求項１】
エンジンのクランク軸の一端に装着された駆動プーリと、該クランク軸に平行な変速軸の一端に装着された従動プーリと、該駆動プーリと従動プーリに巻回されたＶベルトと、該駆動プーリ，従動プーリ及びＶベルトを収容する変速機ケースと、を有するＶベルト式無段変速機をエンジンケース側部に備えたエンジンであって、
上記Ｖベルトを、上記駆動プーリ，従動プーリとの接触部が樹脂で構成されたブロックを複数個連結してなる樹脂ベルトとするとともに、上記駆動プーリと従動プーリとの隙間を駆動プーリの半径より小さくし、
上記エンジンケースに形成された潤滑油室を上記変速機ケースの下方に、かつ該変速機ケースの底面との間に第１空間が生じるように膨出させたことを特徴とするエンジン。
【請求項２】
請求項１において、上記潤滑油室の膨出側端面は、上記変速機ケースの膨出側端面より気筒軸線側に位置していることを特徴とするエンジン。
【請求項３】
請求項１において、上記変速機ケースは、エンジンケース側に位置し、外方に開口する樹脂製の第１ケースと、該第１ケースの開口を閉塞する第２ケースを有し、上記潤滑油室の膨出側端面は上記第１ケースの下方に位置していることを特徴とするエンジン。
【請求項４】
請求項１において、クランク軸方向視で、上記潤滑油室を、上記エンジンケースの上記クランク軸と変速軸との間で、かつ上記変速機ケースの下方に位置し、さらに該変速機ケースとの間に上記第１空間が生じるように膨出させたことを特徴とするエンジン。
【請求項５】
請求項１において、空気を、変速機ケース内に導入する導入口と、変速機ケース外方に排出する排出口とを該変速機ケースに形成したことを特徴とするエンジン。
【請求項６】
請求項５において、上記エンジンケースと変速機ケースとの間に、上記第１空間に連通する第２空間を形成するとともに、上記排出口を上記第２空間に向けて開口させたことを特徴とするエンジン。
【請求項７】
請求項５又は６において、上記排出口が、変速機ケースの上記クランク軸と変速軸とを結ぶ線より上側領域のみに位置するように形成されていることを特徴とするエンジン。
【請求項８】
請求項７において、上記排出口が、変速機ケースのクランク軸挿通孔と変速軸挿通孔との間に位置するように形成されていることを特徴とするエンジン。
【発明の詳細な説明】
【技術分野】
【０００１】
本発明は、エンジンケースのクランク軸方向一側にＶベルト式無段変速機を備えた例えば自動二輪車用に好適のエンジンに関する。
【背景技術】
【０００２】
例えば自動二輪車用エンジンでは、クランク軸の一端に装着された駆動プーリとクランク軸に平行に配置された変速軸の一端に装着された従動プーリとにＶベルトを巻回してなるＶベルト式無段変速機をエンジンケースの軸方向外側に備える場合がある。
【０００３】
この種のＶベルト式無段変速機を備えたエンジンとして、従来、例えば、エンジンケースの一部を変速機ケースに区分けし、クランク軸，変速軸の一端を変速機ケース内に片持ち状態で突出させ、該突出部に上記駆動プーリ，従動プーリを装着したものがある（例えば特許文献１参照）。
【０００４】
また変速機ケースをエンジンケースと別体に構成するとともに、クンンク軸，変速機ケースの先端部を変速機ケースにより軸受を介して支持し、変速機ケース内に空気を導入するように構成されたものがある（例えば特許文献２参照）。
【０００５】
また上記Ｖベルトとして、駆動プーリ，従動プーリとの接触面が樹脂で構成された樹脂ベルトを採用したものがある（例えば特許文献３参照）。
【０００６】
さらにまたエンジンケースに形成された潤滑油室をＶベルト式無段変速機の下方に位置するように膨出させたものがある（例えば特許文献４参照）。
【特許文献１】特許第３０９５０２４号公報
【特許文献２】特開２００２−０２１９８９号公報
【特許文献３】特開平０７−０２７１８０号公報
【特許文献４】特公平０５−０６８３９８号公報
【発明の開示】
【発明が解決しようとする課題】
【０００７】
ところでＶベルト式無段変速機をエンジンケースの側部に備えている場合、エンジンからの熱やＶベルトの摩擦による発熱により変速機ケース内の温度が上昇し易い。特にＶベルトは上記熱影響により劣化し易く、充分な耐久性が得られないといった問題が生じる。従って、上述の無段変速機をエンジンケース側部に備えたエンジンでは、変速機ケース内の温度上昇を抑制でき、Ｖベルトの温度上昇による劣化を防止して耐久性を高めることのできる構成が要請される。
【０００８】
本発明は、上記従来の実情に鑑みてなされたもので、変速機ケース内の温度上昇を抑制でき、Ｖベルトの早期劣化を防止して耐久性を高めることのできるエンジンを提供することを課題としている。
【課題を解決するための手段】
【０００９】
本発明は、エンジンのクランク軸の一端に装着された駆動プーリと、該クランク軸に平行な変速軸の一端に装着された従動プーリと、該駆動プーリと従動プーリに巻回されたＶベルトと、該駆動プーリ，従動プーリ及びＶベルトを収容する変速機ケースとを有するＶベルト式無段変速機をエンジンケース側部に備えたエンジンであって、上記Ｖベルトを、上記駆動プーリ，従動プーリとの接触部が樹脂で構成されたブロックを複数個連結してなる樹脂ベルトとするとともに、上記駆動プーリと従動プーリとの隙間を駆動プーリの半径より小さくし、上記エンジンケースに形成された潤滑油室を上記変速機ケースの下方に、かつ該変速機ケースの底面との間に第１空間が生じるように膨出させたことを特徴とするエンジン。
【００１０】
ここで発明におけるエンジンケースとは、クランク軸を収容するクランクケース，クラッチ機構を収容するクラッチケース，及び発電機を収容する発電機ケース等を総称しており、これらの各ケースはその一部又は全部が一体形成され、あるいは別体形成されている。
【００１１】
なお、本発明における潤滑油室とは、潤滑油が貯留されている部分の意味であり、例えば被潤滑部から落下してきた潤滑油が貯留されるオイルパン，及びオイルポンプ吐出側に位置して潤滑油を貯留しつつ濾過するオイルフィルタが含まれる。
【発明の効果】
【００１２】
本発明によれば、エンジンケースに形成された潤滑油室を変速機ケースの下方に、かつ上記変速機ケースとの間に第１空間が生じるように膨出させたので、必要な潤滑油室容積を確保しながら、エンジン全体の特に高さ寸法の大型化，変速機ケースの温度上昇を抑制できる。
【００１３】
即ち、潤滑油室の容積を充分に確保するためにエンジンケース底部を下方に膨出ませるとエンジン全高が高くなる恐れがある。本発明では、エンジンケース側部に配置された変速機ケースの下方には利用されていない比較的大きな空間があることに着目し、該空間に向けて潤滑油室を膨出させたので、エンジン全高を高くすることなく潤滑油室容積を確保できる。
【００１４】
また上記膨出部と変速ケースとの間に第１空間を設けたので、潤滑油の熱が変速機ケースに伝達されるのを回避できるとともに、上記空間を流れる走行風により変速機ケース自体を冷却できる。
【００１５】
さらにまた上記Ｖベルトを、上記駆動プーリ，従動プーリとの接触部が樹脂で構成されたブロックを複数個連結してなる樹脂ベルトとしたので、ゴム製Ｖベルトに比較してベルト自体お温度上昇を抑制できる。また駆動プーリと従動プーリとの隙間を駆動プーリの半径より小さくしたので、ベルト長さを短くできるとともに、エンジンのクランク軸直角方向寸法をコンパクト化できる。
【発明を実施するための最良の形態】
【００１６】
以下、本発明の実施の形態を添付図面に基づいて説明する。
図１ないし図１５は、本発明の第１実施形態による自動二輪車用エンジンを説明するための図であり、図１は本実施形態エンジンが搭載された自動二輪車の左側面図、図２はエンジンを展開状態で示す断面平面図（図６のII-II 線断面図）、図３はエンジンの無段変速機，遠心クラッチ機構部分の断面平面図、図４，図５はエンジンの右側面図，左側面図、図６はエンジンの無段変速機構，遠心クラッチ機構を取り外した状態の右側面図、図７はクランクケースの右側面図、図８はクランクケースの断面平面図（図５のVIII-VIII 線断面図）、図９はエンジンのキック装置の断面平面図（図５のIX-IX 線断面図）、図１０はキック軸周りの断面平面図、図１１はエンジンの潤滑油経路を示す断面平面図、図１２，図１３は遠心クラッチ機構の断面図，側面図、図１４，図１５は遠心クラッチ機構の要部の拡大断面図である。なお、本実施形態でいう前後，左右とはシートに着座した状態で見た前後，左右を意味する。
【００１７】
図において、１は本実施形態エンジン２が搭載された自動二輪車を示しており、これは車体フレーム１ａの前端に固着されたヘッドパイプ３により、前輪４が軸支されたフロントフォーク５を左右回動可能に枢支し、中央部に固着されたリヤアームブラケット６により、後輪７が軸支されたリヤアーム８を上下揺動可能に枢支し、上記車体フレーム１ａの上部に運転者用シート部９ａと後部乗員用シート部９ｂとからなるシート９を配置した概略構造を有している。
【００１８】
上記車体フレーム１ａはヘッドパイプ３から斜め下方に延びる左，右のダウンチューブ１ｂと該各ダウンチューブ１ｂの後端に続いて斜め上方に延びる左，右のアッパチューブ１ｃと、ダウンチューブ１ｂとアッパチューブ１ｃとに前後方向に架け渡して接合された左右のシートレール１ｄとを有する。また上記車体フレーム１ａはフロントカバー１０ａ，レッグシールド１０ｂ，サイドカバー１０ｃ等からなる樹脂製の車体カバー１０により囲まれている。
【００１９】
上記フロントフォーク５の上端には操向ハンドル１１が固定されており、該操向ハンドル１１はハンドルカバー１１ａにより囲まれている。また上記リヤアーム８とリヤアームブラケット６との間にはリヤクッション１２が架設されている。
【００２０】
上記エンジン２は空冷式４サイクル単気筒エンジンであり、上記ダウンチューブ１ｂの後下部に気筒軸線Ａを前方に約４５度傾斜させて懸架支持されている。このエンジン２は、エンジン本体１５とＶベルト式無段変速機１６と湿式多板式遠心クラッチ機構１７及び減速歯車機構１８とを備えている。
【００２１】
上記エンジン本体１５は、シリンダブロック１９の上合面にシリンダヘッド２０を接続するとともに、該シリンダヘッド２０の上側にヘッドカバー２１を設け、上記シリンダブロック１９の下合面にクランク軸２８が収納されたクランクケース２２を接続した概略構造となっている。また上記クランクケース２２の左側面に、発電機４２を収容する発電機ケース４４が装着されており、本実施形態では、上記クランクケース２２，発電機ケース４４によりエンジンケースが構成されている。
【００２２】
上記シリンダヘッド２０の後面には燃焼凹部２０ａに連通する吸気ポート２０ｂが開口しており、該吸気ポート２０ｂには吸気管２３ａを介して気化器２３が接続されている。また上記シリンダヘッド２０の前面には燃焼凹部２０ａに連通する排気ポート２０ｃが開口しており、該排気ポート２０ｃには排気管２４が接続されている。この排気管２４は、エンジン右下側に向かって斜め下方に延び、後述する変速機ケース４５の下側でかつ潤滑油室膨出部２２ｂの右外側を通り、右側方を通って斜め後方に延びており、上記後輪７の右側方に配設されたマフラ２５に接続されている。上記燃焼凹部２０ａ内には点火プラグ３０が挿入されている。
【００２３】
上記シリンダブロック１９の左側部にはクランクケース２２内とシリンダヘッド２０内とを連通するチェーン室１９ａが形成されており、該チェーン室１９ａには上記クランク軸２８によりカム軸３１を回転駆動するタイミングチェーン３４が配設されており、このカム軸３１により吸気バルブ３２，排気バルブ３３を開閉駆動する。
【００２４】
上記シリンダブロック１９のシリンダボア内にはピストン２６が摺動自在に挿入配置されている。該ピストン２６にはコンロッド２７の小端部２７ｂが連結され、該コンロッドの大端部２７ａは上記クランク軸２８の左右のクランクアーム２８ａ，２８ｂ間に嵌装されたクランクピン２９に連結されている。
【００２５】
上記クランク軸２８の後方には変速軸４７が該クランク軸２８と平行に配置されており、さらに該変速軸４７の軸方向左側には出力軸４８が同軸をなすよう配置されている。この出力軸４８の左端部には駆動スプロケット４９が装着されており、該駆動スプロケット４９はチェーン５０を介して上記後輪７の従動スプロケット５１に連結されている。
【００２６】
上記クランク軸２８の左側端部には発電機４２が装着されている。この発電機４２はクランク軸２８にテーパ嵌合されたスリーブ４３にロータ４２ａを固着するとともに、該ロータ４２ａに径方向に対向するステータ４２ｂを発電機ケース４４に固定した構造となっている。
【００２７】
上記クランクケース２２はクランク軸方向左側の第１ケース４０と右側の第２ケース４１とに分割されている。この第１ケース４０のクランク軸方向外側に上記発電機４２を収容する発電機ケース４４が着脱可能に装着されており、上記第２ケース４１のクランク軸方向外側に上記無段変速機１６の収容ケースである変速機ケース４５が装着されている。
【００２８】
上記第１，第２ケース４０，４１の分割線Ｂは気筒軸線Ａより若干左側に偏位している。この第１，第２ケース４０，４１は概ねクランク軸方向外側に向かって開口する第１，第２外周壁４０ａ，４１ａの内側にクランク軸２８を支持する第１，第２支持壁４０ｂ，４１ｂを一体形成した概略構造を有している。
【００２９】
上記第１ケース４０の第１支持壁４０ｂは、クランク軸２８の左クランクジャーナル部２８ｃを左側ジャーナル軸受３５を介して支持する第１クランク支持壁部４０ｃと、該第１クランク支持壁部４０ｃに対してクランク軸方向左側に少し突出するよう膨出形成された減速機構支持壁部４０ｄとを有している。
【００３０】
また上記第２ケース４１の第２支持壁４１ｂは、クランク軸２８の右クランクジャーナル部２８ｄを右側ジャーナル軸受３６を介して支持する第２クランク支持壁部４１ｃと、該第２クランク支持壁部４１ｃに対してクランク軸方向左側に気筒軸線Ａを越えて突出するよう膨出形成されたクラッチ支持壁部（クラッチ一側支持壁）４１ｄとを有している。
【００３１】
そして上記第１，第２クランク支持壁部４０ｃ，４１ｃにより形成されたクランク室３７内に上記クランク軸２８のクランクアーム２８ａ，２８ｂ及びクランクピン２９が収容されている。
【００３２】
また上記第２外周壁４１ａ及びクラッチ支持壁部４１ｄにより形成されたクラッチ室３８内に上記遠心クラッチ機構１７が収容されており、該クラッチ室３８は上記クランク室３７と画成されている。本実施形態では、上記クラッチ室３８を構成する壁部分をクラッチケースと称する。
【００３３】
さらに上記減速機構支持壁部４０ｄとクラッチ支持壁部４１ｄにより形成された減速室３９内に上記減速歯車機構１８が収容され、該減速室３９は上記クランク室３７に連通している。
【００３４】
この減速歯車機構１８は以下の構成となっている。上記支持壁部４０ｄ，４１ｄ間に上記変速軸４７と平行に減速軸５２が架設されている。該減速軸５２の右側部は上記クラッチ支持壁部４１ｄにより減速軸受５３を介して軸支され、左端部は上記減速機構支持壁部４０ｄに形成された凹部４０ｅにより減速軸受５４を介して軸支されている。またクラッチ室３８内に位置する変速軸４７に一次減速小ギヤ７４が相対回転可能に装着され、上記減速軸５２に一次減速小ギヤ７４に噛合する一次減速大ギヤ７５がキー嵌合により結合されている。上記減速室３９内に位置する減速軸５２に二次減速小ギヤ５２ａが一体形成されるとともに、上記出力軸４８に二次減速小ギヤ５２ａに噛合する二次減速大ギヤ４８ａが一体形成されている。
【００３５】
上記出力軸４８は変速軸４７と同一軸線上に配設されている。この出力軸４８の右端部には上記変速軸４７の左端部が挿入される支持孔４８ｂが凹設されており、該支持孔４８ｂ内に装着された軸受７６を介して該出力軸４８の右端部は変速軸４７で軸支されている。また上記出力軸４８の左端部は第１ケース４０の減速機構支持壁部４０ｄを貫通しており、該支持壁部４０ｄにより軸受７７を介して軸支されている。上記出力軸４８の突出端部に上記駆動スプロケット４９が固着されている。
【００３６】
上記Ｖベルト式無段変速機１６は、上記変速機ケース４５内に巻き掛け径可変式駆動，従動プーリにＶベルトを巻回してなる変速機構を収容してなり、詳細には以下の構成となっている。
【００３７】
上記クランクケース２２により軸支された上記クランク軸２８の右外端部は、上記変速機ケース４５内に片持ち状態で突出しており、該右外端部に駆動プーリ５５が装着されている。またクランクケース２２により軸支された上記変速軸４７の右外端部は、上記変速機ケース４５内に片持ち状態で突出しており、該右外端部に従動プーリ５６が装着されている。上記駆動プーリプーリ５５と従動プーリ５６とにＶベルト５７が巻回されている。
【００３８】
上記Ｖベルト５７は耐熱性，耐久性を有する樹脂からなる樹脂ベルトであり、詳細には以下の構造を有している。例えばポリアミド樹脂にカーボン繊維又はアラミド繊維を混入させて横Ｈ形状に成形してなる多数の樹脂ブロック５７ａが並べて配置され、これらは超耐熱ゴム製の環状の一対の連結部材５７ｂでもって連結されている。上記樹脂ブロック５７ａの左，右傾斜面が上記駆動プーリ５５，従動プーリ５６への当接面となっている。
【００３９】
上記駆動プーリ５５は、上記クランク軸２８の右端部に固定された固定プーリ半体５５ａと、該固定プーリ半体５５ａのクランク軸方向内側に軸方向にスライド可能にかつスライドカラー５９を介してクランク軸２８と共に回転するように配設された可動プーリ半体５５ｂとを有している。上記クランク軸２８の右端部にカムプレート５８，上記スライドカラー５９がスプライン嵌合により装着され、これらの軸方向外側に上記固定プーリ半体５５ａが装着され、ロックナット６０により締め付け固定されている。上記可動プーリ半体５５ｂと上記カムプレート５８との間に円筒形のウエイト６１が配設されている。クランク軸２８の回転が上昇するにつれてウエイト６１が遠心力で半径方向外側に移動して可動プーリ半体５５ｂを軸方向右側に移動させ、これによりプーリの巻き掛け径が大きくなり、減速比が小さくなる。
【００４０】
上記従動プーリ５６は、上記変速軸４７の右外端部に固定された固定プーリ半体５６ａと、該固定プーリ半体５６ａのクランク軸方向外側に軸方向にスライド可能に配設された可動プーリ半体５６ｂとを有している。上記固定プーリ半体５６ａの軸心部に固着された円筒状のスライドカラー６２は変速軸４７にスプライン嵌合されており、このスライドカラー６２上に上記可動プーリ半体５６ｂの軸心部に固着された円筒状のボス部６３が軸方向にスライド可能に装着されている。このボス部６３にスリット状に形成されたスライド溝６３ａに上記スライドカラー６２に植設されたガイドピン６４がスライド可能に、かつ該可動プーリ半体５６ｂが固定プーリ半体５６ａと共に回転するよう係合している。
【００４１】
上記スライドカラー６２の先端部には、環状プレートからなるばね受け部材６５がサークリップ６５ａにより装着されており、このばね受け部材６５と上記可動プーリ半体５６ｂとの間には該可動プーリ半体５６ｂを固定プーリ半体５６ａ側に常時付勢するコイルスプリング６７が介設されている。
【００４２】
そして上記従動プーリ５６は、上記スライドカラー６２の先端部６２ａ内に没入するように挿入配置され、上記変速軸４７の先端部４７ａに螺着されたロックナット６６より上記変速軸４７に固着されている。
【００４３】
ここで、上記スライドカラー６２の内径は変速軸４７の外径より段付状に大径に設定され、変速軸４７の先端部４７ａは段付状に小径に設定されている。このように変速軸４７のロックナット６６が螺装される部分が小径になっているので、ロックナット６６及びワッシャ６６ａを小径となり、これらをスライドカラー６２内に没入するよう支障なく挿入配置できる。このようにして上記ロックナット６６をコイルスプリング６７のばね受部材６５よりクランク軸方向内側に位置させることが可能となっている。
【００４４】
上記変速機ケース４５は、上記クランクケース２２とは独立して形成された略密閉構造のものであり、右側方から見て（図４参照）、上記クランクケース２２の右側の大部分を覆う楕円形状を有している。上記変速機ケース４５は、クランク軸方向外側に開口する有底箱状で樹脂製のケース本体４５ａと該開口を気密に閉塞するアルミニュウム合金製の蓋体４５ｂとからなる２分割構造のものである。
【００４５】
上記ケース本体４５ａと蓋体４５ｂとは、これらの外周縁に形成されたボス部４５ｅ，４５ｄがボルト７０により上記第２ケース４１に共締め固定されている。またケース本体４５ａには、上記クランク軸２８，変速軸４７と同軸をなすようにボス部４５ｉ，４５ｉが形成されており、これがクランクケース側の軸受３６，８１のアウタレースを嵌合支持するボス部に嵌合している。このようにしてケース本体４５ａは上記ボルト７０を外した状態でもクランクケース側に支持されるようになっている。
【００４６】
そして上記ケース本体４５ａの底壁４５ｃと第２ケース４１との間には第２空間ａが設けられている。この第２空間ａは、エンジン２からの熱がクランクケース２２を介して変速機ケース４５に伝わるのを遮断するとともに、走行風が両ケースの間を流れるのを許容することにより変速機ケース４５内の温度上昇を抑制している。
【００４７】
上記クランクケース２２の底部２２ａには潤滑油室９５が形成されており、該潤滑油室９５には、上記変速機ケース４５の下方に位置するように膨出する膨出部２２ｂが一体形成されている（図８，図１１参照）。この膨出部２２ｂの膨出側端面２２ｂ′は、変速機ケース４５のケース本体４５ａの下方に位置している。
【００４８】
上記潤滑油室９５に膨出部２２ｂを設けたことにより、該膨出部２２ｂを含む全体としての車幅方向中心線Ｄはエンジン幅方向中心線（気筒軸線Ａ）より上記変速機ケース４５側に偏位している。上記潤滑油室９５の変速機ケース４５と反対側の内側壁２２ｃのクランク軸方向位置は、上記左側のジャーナル軸受３５を支持する支持壁４０ｃと同じ位置に位置している。
【００４９】
また上記膨出部２２ｂは、平面から見て、変速機ケース４５の投影面内に位置するよう形成されており、また該膨出部２２ｂの上面と変速機ケース４５の下面との間には第１空間ｂが設けられている。さらにまた上述の排気管２４は、上記変速機ケース４５の平面からの投影面内でかつ上記膨出部２２ｂの側方からの投影面内を通っている。また上記第１空間ｂは上記第２空間ａと連通しており、変速機ケース４５内に導入された空気は排出口から第２空間ａ，第１空間ｂを通って外方に排出される。
【００５０】
本実施形態によれば、上記クランク軸２８，変速軸４７をクランクケース２２により回転自在に支持するとともに、これらの右外端部を片持ち状態で変速機ケース４５内に突出させ、該クランク軸２８，変速軸４７の先端部を変速機ケース４７で軸支する必要のない片持ち支持構造としたので、変速機ケース４５の特に蓋部４５ｂ側に軸受部を設ける必要がなく、それだけ変速機ケース４５全体を軽量小型化することができる。
【００５１】
上記のようにクランク軸２８，変速軸４７を片持ち支持構造としたことに伴って変速機ケース４５をクランクケース２２により支持するための構造にそれほど大きな剛性は必要でなく、この支持構造を簡略化できる。即ち、クランク軸２８等の先端部を軸支する場合には、軸受の配置位置精度を確保するために変速機ケース４７自体を高剛性とし、かつ高い剛性でもってクランクケース２２に結合する必要がある。
【００５２】
また変速機ケース４５とクランクケース２２との間に第２空間ａを設けたので、エンジンの熱がクランクケース側から変速機ケース４５に伝達されにくく、しかも上記第２空間ａを流れる走行風により変速機ケース４５自体が冷却され、変速機ケース４５の温度上昇を抑制でき、ひいてはＶベルト５７の耐久性を向上できる。また上述のように変速機ケース４５を小型軽量化できるので、上記第２空間ａを設けてもエンジンの無段変速機１６回りが大型化するのを抑制できる。
【００５３】
また上記変速機ケース４５の上記クランクケース２２と対面するクランクケース側面を構成するケース本体４５ａを樹脂部材で構成したので、変速機ケース４５をより一層軽量小型化できるとともに、変速機ケース４５の温度上昇を抑えてＶベルト５７の耐久性を向上できる。即ち、樹脂部材を用いた場合には形状の自由度が高く、従って変速機ケース４５をより小型となるように成形し易い。また樹脂部材は通常のケース部材であるアルミニュウム合金等に比較して断熱性が高く熱の伝達をより一層抑えることができ、変速機ケース４５の温度上昇をより一層確実に抑えることができる。
【００５４】
また上記Ｖベルト５７を樹脂ブロック５７ａを連結部材５７ｂで連結してなる樹脂ベルトとしたので、Ｖベルト自体の発熱を抑えることができる。即ち、駆動プーリ５５との接触部を樹脂ブロック５７ａで構成した樹脂ベルトの場合、例えばゴムベルトに比較して同じ伝達トルクを得るのに駆動プーリ５５による挟み込み力を小さくすることができ、従ってそれだけＶベルト５７と駆動プーリ５５との間で発生する摩擦熱を軽減でき、その結果ベルト自体の温度上昇を抑制できる。
【００５５】
また上述のようにして変速機ケース４５の温度上昇を抑えることができるとともに、Ｖベルト５７を樹脂製としてベルトの摩擦熱を抑えるとともに、ベルト自体の耐熱性，耐久性をゴム製ベルトに比べて高めることができ、Ｖベルト５７の冷却を不要にできる。その結果、変速機ケース４５を密閉構造とすることが可能となり、水やほこりの進入を防止できる。
【００５６】
またクランクケース２２の底部２２ａに変速機ケース４５の下方に位置するように膨出部２２ｂを膨出形成したので、変速機ケース４５下方の空きスペースを有効利用して潤滑油室９５の潤滑油量を増やすことができ、ケース底部を深くして潤滑油量を確保する場合に比べ、エンジン２の高さ寸法を大きくする必要がない。
【００５７】
またクランクケース２２の底部２２ａを変速機ケース４５の下方に膨出させたので、潤滑油室９５の表面積を増やすことができ、それだけ冷却性を高めることができ、さらにエンジン全体の重量バランスを良好にできる。また上記膨出部２２ｂと変速機ケース４５との間に第１空間ｂを設けたので、膨出部２２ｂ内の潤滑油の熱が変速機ケース４５に伝達されるのを防止できるとともに、該第１空間ｂを通る走行風により変速機ケース４５を冷却できる。
【００５８】
ここで本実施形態では、Ｖベルト５７を樹脂製とするとともに、変速機ケース４５をクランクケース２２とは独立したものとしたので、ゴム製ベルトを採用する場合に比べてベルト自体の耐熱性，耐久性を高めることができ、またエンジンからの熱影響を抑制することができる。その結果、駆動，従動プーリ５５，５６の小径化が可能となり、変速機ケース４５を小型化することができ、該変速機ケース４５の下方に空きスペースを設けることができ、その結果上記膨出部２２ｂを形成して潤滑油容量を大きくでき、かつ排気管２４の配置スペースを確保できたものである。
【００５９】
本実施形態によれば、変速軸４７に装着された従動プーリ５６の可動プーリ半体５６ｂを固定プーリ半体５６ａのクランク軸方向外側に配置したので、上記変速軸４７の従動プーリ５６内側部分に空きスペースを確保することができ、この空きスペースを利用して遠心クラッチ機構１７を上記固定プーリ半体５６ａに隣接するように配置することができる。これによりエンジン幅を拡大することなく上記変速軸４７の反従動プーリ５６側に出力軸４８を同軸配置することができ、その結果、従来の出力軸を変速軸の後側に配置するものに比べてエンジン前後長を短くすることができる。
【００６０】
本実施形態では、上記ロックナット６６を、上記可動プーリ半体５６ｂを固定プーリ半体５６ａ側に付勢するコイルスプリング６７を支持するばね受け部材６５より軸方向内側に没入させて配置したので、コイルスプリング６７の必要長さを確保しつつ簡単な構造で変速軸方向外側への出っ張りを小さくすることでき、エンジン車幅寸法の大型化を抑制できる。
【００６１】
即ち、例えば、図１６に示すように、変速軸２００にスライドカラー２０１の外端面をロックナット２０３により締め付け固定する構造の場合には、ロックナット２０３の分だけ変速機ケース２０４が車幅方向外側に出っ張ることとなる。これに対して本実施形態では、ロックナット６６がばね受部材６５の外端より軸方向内方に位置するので、変速機ケース４５の出っ張りをｔ（約１０ｍｍ程度）だけ小さくできる。
【００６２】
また上記コイルスプリング６７が軸方向外側に位置するので、コイルスプリング６７のメンテナンスや交換を行なう場合にはサークリップ６５ａを外すだけでよく、作業を容易に行なうことができる。ちなみに、可動プーリ半体を固定プーリ半体の内側に、即ちコイルスプリングを軸方向内側に配置した場合には、従動プーリ全体を取り外さなければならず作業性が低い。
【００６３】
上記クラッチ室３８を形成する第２外周壁４１ａのクランク軸方向の外側には上記遠心クラッチ機構１７を出し入れできる大きさを有する開口４１ｅが形成されている。この開口４１ｅにはクラッチカバー（クラッチ他側支持壁）７１が気密に装着されており、該クラッチカバー７１はボルト７２により上記第２外周壁４１ａの開口縁部に着脱可能に締め付け固定されている。これにより変速機ケース４５を従動プーリ５６とともに取り外し、クラッチカバー７１を外すことによって遠心クラッチ機構１７を変速軸４７とともに取り外せるようになっている。
【００６４】
上記遠心クラッチ機構１７は変速軸４７の軸方向左端部，中央部に装着された一側，他側クラッチ軸受８０，８１により軸方向移動不能に位置決め挟持されている。この一側クラッチ軸受８０はクラッチ支持壁部４１ｄにより支持されており、上記他側クラッチ軸受８１は上記クラッチカバー７１により支持されている。
【００６５】
そして上記一側クラッチ軸受８０及び減速軸受５３を支持するクラッチ支持壁部４１ｄは、右ジャーナル軸受３６を支持する第２クランク支持壁部４１ｃよりクランク軸方向左側に偏位しており、換言すれば上記左ジャーナル軸受３５を支持する第１クランク支持壁部４０ｃと上記第２クランク支持壁４１ｃとの間に位置している。より具体的には、気筒軸線Ａ上に、あるいは気筒軸線Ａより若干分割線Ｂ寄りに位置している。
【００６６】
また上記他側クラッチ軸受８１を支持するクラッチカバー７１は上記右ジャーナル軸受３６を支持する第２クランク支持壁部４１ｂよりクランク軸方向右外側に位置している。さらにまた上記出力軸４８の左側軸受７７を支持する減速機構支持壁部４０ｄは左ジャーナル軸受３５を支持する第１クランク支持壁部４０ｃよりクランク軸方向左外側に位置している。
【００６７】
上記クランクケース２２をクランク軸方向に第１，第２ケース４０，４１に分割し、第２ケース４１のクランク軸方向外側に上記変速機ケース４５を配置し、該変速機ケース４５のクランク軸方向内側近傍に遠心クラッチ機構１７を配置したので、変速軸４７の無段変速機構１６と反対側に出力軸４８を同軸配置することができ、エンジン２の幅寸法の拡大を抑えつつ前後方向寸法を小さくすることができる。
【００６８】
また上記遠心クラッチ機構１７を変速軸４７に装着された一側，他側クラッチ軸受８０，８１により挟持したので、別部品を用いることなく簡単な構造で遠心クラッチ機構１７を軸方向に位置決め支持できる。
【００６９】
本実施形態では、一側クラッチ軸受８０を支持するクラッチ一側支持壁４１ｄをクランク軸２８の左，右ジャーナル軸受３５，３６を支持する第１，第２クランク支持壁４０ｃ，４１ｃの間に位置させ、他側クラッチ軸受８１を支持するクラッチカバー（クラッチ他側支持壁）７１を右ジャーナル軸受３６を支持する第２クランク支持壁４１ｃのクランク軸方向外側に位置させたので、第１クランク支持壁４０ｃ，クラッチ一側支持壁４１ｄ同士及び第２クランク支持壁４１ｃ，クラッチカバー７１同士を同一線上に位置させる場合に比べてクランク軸２８と変速軸４７との軸間距離を短くしながらクラッチ室３８の容積を確保することができ、遠心クラッチ機構１７をコンパクトに収納でき、ひいてはエンジン全体をコンパクトにすることができる。
【００７０】
また上記第２ケース４１の開口４１ｅにクラッチカバー７１を着脱可能に取付けたので、変速機ケース４５及びクラッチカバー７１を外すことにより変速軸４７とともに遠心クラッチ機構１７を取り外すことができ、メンテナンスや部品交換作業を容易に行なうことができる。
【００７１】
本実施形態では、変速軸４７の反変速機ケース４５側に出力軸４８を同軸をなすように配置し、該出力軸４８に駆動スプロケット４９を装着したので、遠心クラッチ機構１７と駆動スプロケット４９とを同軸上に配置することができ、エンジンの前後方向寸法を小さくすることができる。
【００７２】
上記遠心クラッチ機構１７は従動プーリ５６のクランク軸方向内側に近接させて配置されている。この遠心クラッチ機構１７は湿式多板式のもので、主として図１２〜図１５に示すように、碗状のアウタクラッチ８３のボス８３ｂを変速軸４７に共に回転するようにスプライン嵌合させ、該アウタクラッチ８３の軸方向内側にインナクラッチ８４を同軸配置し、該インナクラッチ８４のハブ部８４ａを上記一次減速小ギヤ７４に共に回転するようにスプライン嵌合させた概略構造を有している。なお、上記一次減速小ギヤ７４は変速軸４７に回転自在に装着されている。
【００７３】
上記アウタクラッチ８３内には複数枚のアウタクラッチ板８５が配置され、その両端に位置するように２枚の押圧プレート８６，８６が配置され、両者８５，８６は該アウタクラッチ８３と共に回転するように該アウタクラッチ８３に係止されている。また上記アウタクラッチ板８５及び押圧プレート８６の間にはインナクラッチ板８７が配置され、該各インナクラッチ板８７は上記インナクラッチ８４と共に回転するように該インナクラッチ８４の外周に係止されている。
【００７４】
上記アウタクラッチ８３の内側にはカム面８３ａが形成されており、該カム面８３ａと上記外側の押圧プレート８６との間にはウエイト８８が配設されている。このウエイト８８はアウタクラッチ８３の遠心力により半径方向外側に移動するに伴ってカム面８３ａにより図１２の図面左方（クラッチ接続方向）に移動し、押圧プレート８６を押圧移動させてアウタ，インナクラッチ板８５，８６同士を接続状態とする。なお、図１２において、遠心クラッチ機構１７の軸線より上側は遮断状態を、下側は接続状態を示している。
【００７５】
上記遠心クラッチ機構１７にはクラッチ板貼り付き防止機構９０が設けられている。この貼り付き防止機構９０は、上記各アウタクラッチ板８５の間及び該アウタクラッチ板８５と押圧プレート８６との間にアウタクラッチ板８５，押圧プレート８６を互いに離間させる方向に付勢する板ばね９１を介設して構成されている。
【００７６】
また上記各インナクラッチ板８７には該インナクラッチ板８７の軸方向移動を規制するピン９２が周方向に間隔をあけて挿通されており、各ピン９２の各インナクラッチ板８７の間には該インナクラッチ板８７同士を離間させる方向に付勢するコイルばね９３が装着されている。
【００７７】
本実施形態の遠心クラッチ機構１７では、ウエイト８８はエンジン回転が上昇するにつれて遠心力でクラッチ径方向外方に移動し、カム面８３ａによりその軸方向位置が決定される。そしてスロットル（不図示）の開操作によりエンジン回転が所定値以上になると上記ウエイト８８が押圧プレート８６を押圧移動させてアウタ，インナクラッチ板８５，８７を圧接させ、これによりエンジン回転が変速軸４７から減速歯車機構１８を介して出力軸４８に伝達され、該出力軸４８の回転により駆動スプロケット４９，チェーン５０を介して後輪７が回転駆動される。
【００７８】
スロットルの閉操作によるエンジン回転数の減少に伴ってウエイト８８が半径方向内方に移動し、エンジン回転数が所定値以下になるとウエイト８８による圧接力が解放され、上記アウタ，インナクラッチ板８５，８７が相対回転し、エンジン回転は変速軸４７と出力軸４８との間で遮断される。
【００７９】
そして上記クラッチ遮断時において、上記圧接力が解放されると板ばね９１の反力によってアウタクラッチ板８５，押圧プレート８６が互いに離間するとともに、コイルばね９３の反力によってインナクラッチ板８７同士が離反する。
【００８０】
これによりアウタ，インナクラッチ板８５，８７同士の潤滑油による貼付きを防止でき、クラッチの引きずり現象が防止される。
【００８１】
また各ピン９２によりインナクラッチ板８７の軸方向移動が規制されているので、クラッチ遮断時にインナクラック板８７が傾いたりするのを防止でき、この点からもクラッチの引きずり現象を防止できる。
【００８２】
次に上記エンジン２の潤滑油系統について説明する。
【００８３】
本潤滑油系統は、上記クランクケース２２の底部２２ａ形成された潤滑油室９５内の潤滑油をオイルポンプ９６により吸い込んで上記クランク軸２８，カム軸３１の軸受部及び摺動部等の被潤滑部に圧送供給し、該被潤滑部を潤滑した潤滑油を上記潤滑油室９５に自然落下により戻す構造となっている。
【００８４】
上記オイルポンプ９６は、主として図１１に示すように、クランクケース２２の第１ケース４０の下部に配置されており、吸込口９７ａ，吐出口９７ｂを有するハウジング９７によりポンプ軸９６ａを軸支し、該ポンプ軸９６ａの外端部にポンプギヤ９８を装着した構造となっている。
【００８５】
上記第１ケース４０には上記吸込口９７ａに連通する吸込み通路４０ｆが形成され、該吸込み通路４０ｆはオイルストレーナ９９を介して潤滑油室９５内の底面上に開口している。また上記第１ケース４０には上記吐出口９７ｂに連通する潤滑油供給通路４０ｇが形成されている。この供給通路４０ｇは途中にオイルフィルタ１００を介在させて上記発電機ケース４４に形成されたメイン供給通路４４ａに連通されており、該メイン供給通路４４ａの下流端は上記クランク軸２８の左端面に連通するオイル室４４ｃに接続されている。
【００８６】
上記クランク軸２８には上記オイル室４４ｃに連通するオイル通路２８ｅが軸心方向に形成されており、該オイル通路２８ｅは上記クランクピン２９に形成された分岐通路２９ａを介して該クランクピン２９とコンロッド２７との連結軸受部１０１に開口している。
【００８７】
上記オイルポンプ９６により吸い込んだ潤滑油が供給通路４０ｇ，メイン供給通路４４ａを通ってオイル通路２８ｅに圧送され、該オイル通路２８ｅから分岐通路２９ａを介して連結軸受部１０１に供給される。この連結軸受部１０１に供給された潤滑油は、供給油圧によって、及びクランク軸２８の遠心力によってクランク室３７内に飛散し、この飛散する潤滑油の一部は減速室３９内に進入して二次減速小ギヤ５２ａ，大ギヤ４８ａを潤滑し、この後潤滑油室９５内に落下する。
【００８８】
次に上記遠心クラッチ機構１７の潤滑構造について説明する。
上記遠心クラッチ機構１７は、主として図３，図７に示すように、クランク軸直角方向に見て、上記コンロッド２７とクランクピン２９との連結軸受部１０１からの潤滑油飛散領域内にその一部が重なるように位置している。具体的には、遠心クラッチ機構１７のアウタ，インナクラッチ板８５，８７がクランク室３７に臨む位置に配置されている。
【００８９】
そして上記クランク室３７とクラッチ室３８とを画成する第２外周壁４１ａには上記連結軸受部１０１から飛散した潤滑油を該クラッチ室３８内に導入する導入開口１０３が形成されている。
【００９０】
また上記クラッチ支持壁部４１ｄにはクラッチ室３８内側に延びるガイド部１０４が一体形成されている。このガイド部１０４は、クランク軸２８と変速軸４７とを結ぶ延長線上に位置し、上記導入開口１０３と概ね対向するよう縦方向に延びる潤滑油受け部１０４ａと、該潤滑油受け部１０４ａの下端に続いて変速軸４７の下方に回り込むようにして円弧状に延びる案内部１０４ｂとを有している。この案内部１０４ｂはインナクラッチ８４の円錐台形状をなすボス部分内に差し込まれるように位置している。
【００９１】
これにより導入開口１０３から進入した潤滑油をガイド部１０４により受け止めるとともに、上記遠心クラッチ機構１７の外周より内側部分により多く案内し、該クラッチ機構１７の遠心力でもって上記潤滑油がアウタ，インナクラッチ板８５，８７の間に供給されるとともに、一次減速大ギヤ７５，小ギヤ７４の噛合部に供給される（図３，図７の矢印参照）。
【００９２】
本実施形態の遠心クラッチ機構潤滑構造によれば、クランクピン２９とコンロッド大端部２７ａとの連結軸受部１０１に供給された潤滑油を遠心クラッチ機構１７に導くようにしたので、連結軸受部１０１から多量に噴出，飛散する潤滑油を遠心クラッチ機構１７に供給でき、特別な潤滑油経路を設ける必要がなく、かつ充分な潤滑油量を遠心クラッチ機構１７に供給でき、アウタ，インナクラッチ板８５，８７の焼き付きを防止できる。
【００９３】
本実施形態では、遠心クラッチ機構１７をクランク室３７から画成されたクラッチ室３８内に、かつクランク軸直角方向に見て、上記連結軸受部１０１からの潤滑油飛散領域内に位置するように配置し、該クラッチ室３８とクランク室３７とを画成する第２外周壁４１ａに潤滑油の進入を許容する導入開口１０３を形成したので、非常に簡単な構造でクランク室３７からの潤滑油を効果的にクラッチ室３８に導入することができる。
【００９４】
本実施形態では、クラッチ支持壁部４１ｄにクラッチ室３８内側に延びるガイド部１０４を一体形成し、該ガイド部１０４を、クランク軸２８と変速軸４７とを結ぶ延長線上に位置し上記導入開口１０３と概ね対向するよう延びる潤滑油受け部１０４ａと、該潤滑油受け部１０４ａの下端に続いて変速軸４７の下方に回り込むようにして円弧状に延びる案内部１０４ｂとから構成したので、アウタ，インナクラッチ板８５，８７に潤滑油をより確実に供給することができる。
【００９５】
次に上記エンジン２のキック装置について説明する。
主として、図５，図９，図１０に示すように、上記出力軸４８の略垂直下方にはこれと平行にキック軸１１０が配設されている。クランク軸直角方向に見て、該キック軸１１０は、これの上記駆動スプロケット４９より内側部分が第１ケース４０のボス部４０ｈにより軸支され、外側部分が発電機カバー４４に一対形成されたボス部４４ｂにより軸支されている。
【００９６】
上記キック軸１１０の外端部にキックアーム１１１が装着されている。またキック軸１１０の内側端部にはキックギヤ１１２が軸方向にスライド可能にスプライン嵌合されており、該キックギヤ１１２は第１ケース４０内に位置している。また上記キック軸１１０の内端部には復帰ばね１１３が巻き付けられており、該復帰ばね１１３によりキック軸１１０は踏み込み位置に回動付勢されている。
【００９７】
上記キック軸１１０とクランク軸２８との間には主中間軸１１４，副中間軸１１５がそれぞれキック軸１１０と平行に配設されている。この主中間軸１１４は第１ケース４０と第２ケース４１とに架け渡して軸支されており、該主中間軸１１４には上記キックギヤ１１２に噛合可能な主中間ギヤ１１６が装着されている。
【００９８】
上記副中間軸１１５は第１ケース４０に形成された軸受け部４０ｊにより軸支されており、該副中間軸１１５の内，外端部はそれぞれ第１ケース４０の内側，外側に突出している。この副中間軸１１５のケース内側には上記主中間ギヤ１１６に噛合する第１中間ギヤ１１５ａが一体形成されており、ケース外側には第２中間ギヤ１１７が装着されている。この第２中間ギヤ１１７には後述する第１クランクギヤ１２１が噛合している。
【００９９】
上記キックアーム１１１を踏み込むことによりキック軸１１０が回転し、該回転に伴ってキックギヤ１１２が軸方向に移動して上記主中間ギヤ１１６に噛合し、第１，第２中間ギヤ１１５ａ，１１７を介して第１クランクギヤ１２１に伝達され、クランク軸２８が回転する。
【０１００】
上記クランク軸２８の左ジャーナル軸受３５と上記発電機４２のスリーブ４３との間には外側から順に一方向クラッチ１２０，上記第１クランクギヤ１２１，カムスプロケット１２２が装着されている。
【０１０１】
上記一方向クラッチ１２０には始動ギヤ１２０ａが装着されており、該始動ギヤ１２０ａにはアイドラギヤ１２４を介してスタータモータ１２５の駆動ギヤ１２５ａが連結されている。このスタータモータ１２５はモータ軸線をクランク軸２８と平行に向けてクランクケース２２の前壁に配置固定されている。
【０１０２】
そして上記キックギヤ１１２，主中間ギヤ１１６，及び第１中間ギヤ１１５ａは第１ケース４０内側の上記潤滑油室９５に連通する位置に配置されている。また上記第２中間ギヤ１１７，第１クランクギヤ１２１，及びカムスプロケット１２２は第１ケース４０の外側に配置されている。
【０１０３】
本実施形態のキック装置によれば、キックギヤ１１２，主中間ギヤ１１６，及び第１中間ギヤ１１５ａを潤滑油室９５に連通する部分に位置させたので、これらのギヤの噛合部を十分に潤滑できる。
【０１０４】
また、主中間軸１１５を第１ケース４０の内側から外側に貫通させ、キック軸１１０の回転を主中間軸１１５の内側から外側に伝達し、該外側の第２中間ギヤ１１７から第１クランクギヤ１２１を介してクランク軸２８に伝達したので、第１クランクギヤ１２１をクランクジャーナル部２８ｃより外側に配置させることができ、クランク軸受３５，３６の間隔を狭くでき、クランク軸２８をコンロッド２７による曲げモーメントを小さくして軸支できる。さらにまたカムスプロケット１２２，第２クランクギヤ１２７の配置スペースを確保することができ、クランク軸周りのレイアウトを容易に行なうことができる。即ち、キック軸１１０の回転を第１ケース４０内においてクランク軸２８に伝達するようにした場合、左のクランク軸受３５と左クランクアーム２８ａとの間にギヤが必要となり、左，右軸受３５，３６の間隔が広くなり、上記曲げモーメント上不利となる。
【０１０５】
本実施形態では、上記キック軸１１０を出力軸４８の垂直方向略下方に配置したので、キックアーム１１１の踏み込み操作がし易いとともに、エンジン２の前後寸法を小さくすることができる。
【０１０６】
また上記キック軸１１０の後輪駆動スプロケット４９の車幅方向内側をクランクケース２２の第１クラッチ支持壁部４０ｄにて軸支し、車幅方向外側を発電機ケース４４にて軸支し、該キック軸１１０の発電機ケース４４の外方突出端にキックアーム１１１を装着したので、キック軸１１０，ひいてはキックアーム１１１を後輪駆動スプロケット４９に干渉することなく最適な踏み込み位置に配置することができる。
【０１０７】
上記キック軸１１０は、図４に示すように、クランク軸方向に見たとき、上記変速機ケース４５の軸方向投影面内で、かつ遠心クラッチ機構１７の軸方向投影面内に位置している。より具体的には、従動プーリ５６の略垂直下方に位置するように配置されている。
【０１０８】
このようにキック軸１１０を変速機ケース４５の反対側に配置したので、該変速機ケース４５内にキック軸配置スペースを確保する必要なく、そのため上記無段変速機構１６の駆動プーリ５５と従動プーリ５６とは僅かな隙間ｂ（図３参照）が生じる程度に近接させて配置でき、それだけエンジンの前後長を小さくすることができる。
【０１０９】
また上記キック軸１１０を変速機ケース４５のクランク軸方向投影面内に配置したので、キック軸１１０をクランク軸２８に近い位置で、かつ踏み込み易い位置に配置することができる。
【０１１０】
本実施形態では、上記遠心クラッチ機構１７を従動プーリ５６のクランク軸方向内側近傍に配置し、上記キック軸１１０を遠心クラッチ機構１７の軸方向投影面内で、かつ変速軸４７の略垂直下方に配置したので、キック軸１１０を遠心クラッチ機構投影面内における空きスペースを利用して、かつ最も踏み込み易い位置に配置することができるとともに、エンジン２の前後長さを小さくすることができる。
【０１１１】
上記クランク軸２８の後上方にはバランサ軸１２９が該クランク軸２８と平行に配設されている。このバランサ軸１２９は第１，第２ケース４０，４１にバランサ軸受１３０，１３１を介して軸支されている。該バランサ軸１２９の左端部は第１ケース４０から外側に突出しており、該突出部にはバランサギヤ１３２が結合されている。このバランサギヤ１３２の内周部にはダンパ部材１３３が介設されている。
【０１１２】
ここで、上記バランサ軸受１３０，１３１内にクランク軸２８の左，右のクランクアーム２８ａ，２８ｂが位置し、かつバランサ軸１２９のバランサウエイト１２９ａは上記左，右のクランクアーム２８ａ，２８ｂの間で、かつクランクピン２９の回転軌跡に重なるようにクランク軸２８側に近接させて配置されている。これによりバランサ軸周りがコンパクトになっている。
【０１１３】
上記クランク軸２８に圧入された第１クランクギヤ（第１駆動ギヤ）１２１には第２クランクギヤ（第２駆動ギヤ）１２７が共に回転するように装着されており、該第２クランクギヤ１２７に上記バランサギヤ（第２従動ギヤ）１３２が噛合している。より詳細には上記第２クランクギヤ１２７の内周面には内周歯１２７ａが形成されており、該内周歯１２７ａには上記第１クランクギヤ１２１の外周歯１２１ａが嵌合している（図６参照）。これによりクランク軸２８の回転は第１クランクギヤ１２１から第２クランクギヤ１２７を介してバランサギヤ１３２に伝達される。
【０１１４】
上記ポンプギヤ（第１従動ギヤ）９８には第２中間ギヤ１１７を介して上記第１クランクギヤ１２１が連結されている。このようにして第１クランクギヤ１２１，第２中間ギヤ１１７はキック始動とオイルポンプ駆動とに共用されている。
また上記クランク軸２８に装着された一方向クラッチ１２０，第１クランクギヤ１２１，カムスプロケット１２２は上記クランク軸２８の左端部に螺装されたナット１２３を締め付けることにより上記スリーブ４３とジャーナル軸受３５とで軸方向移動不能に挟持されている。
【０１１５】
本実施形態によれば、第１クランクギヤ１２１に噛合する第２中間ギヤ１１７をキック軸１１０の回転をクランク軸２８に伝達する場合と、クランク軸２８の回転をポンプギヤ９８に伝達する場合とに共用したので、それだけクランク軸長さを短くでき、エンジン幅をコンパクトにできる。
【０１１６】
またクランク軸２８に圧入した第１クランクギヤ１２１に、第２クランクギヤ１２７の内周歯１２７ａを嵌合させるとともに、第２中間ギヤ１１７を噛合させるようにしたので、第１クランクギヤ１２１のクランク軸２８への圧入長さを十分に確保することができ、クランク軸２８の回転を確実にポンプギヤ９８，バランサギヤ１３２に伝達することができる。
【０１１７】
本実施形態では、第１クランクギヤ１２１の外周歯１２１ａと第２クランクギヤ１２７の内周歯１２７ａとを嵌合させる構造を採用したので、第２クランクギヤ１２７の組み付けが容易であるとともに、メンテナンス時の取り外しを容易に行える。即ち、上記クランク軸２８のナット１２３を外してスリーブ４３，一方向クラッチ１２１を取り外すことにより、上記第２クランクギヤ１２７を第１クランクギヤ１２１から容易に取り外すことができる。
【０１１８】
そして本エンジン２の上記各軸の配置構造は以下のようになっている。
クランク軸方向に見て、上記クランク軸２８の後方に変速軸４７，出力軸４８が略同一水平面上に配置されている。このクランク軸２８及び出力軸４８の軸心を含む水平面Ｃの上側に上記バランサ軸１２９及び減速軸５２が配置されており、下側にキック軸１１０，ポンプ軸９６ａ，主，副中間軸１１４，１１５が配置されている。
【０１１９】
また上記キック軸１１０は出力軸４８の略垂直下方に配置され、上記ポンプ軸９６ａはバランサ軸１２９の略垂直下方に配置されている。さらに上記主，副中間軸１１４，１１５はクランク軸２８とキック軸１１０とを結ぶ線上に配置されている。
【０１２０】
本実施形態によれば、クランク軸２８及び出力軸４８を含む水平面Ｃの上側にバランサ軸１２９を配置し、下側にキック軸１１０及びオイルポンプ９６のポンプ軸９６ａを配置したので、これらを上，下にバランス良く配置することができ、エンジンの大型化を回避できる。即ち、上記水平面Ｃの上側でシリンダボアの後側には空スペースがあり、このスペースを利用してバランサ軸１２９を配置している。そしてバランサ軸１２９はウエイト１２９ａが大きな回転軌跡を持って回転するので、潤滑油に浸漬した状態にあると潤滑油撹拌によるロス馬力が大きくなるが、本実施形態ではバランサ軸１２９が潤滑油を拡散することはない。また上記水平面Ｃの上側でバランサ軸１２９と出力軸４８との間の空きスペースを利用して減速軸５２を配置している。この場合、潤滑油が供給されにくい上部に位置しているが、クランク軸２８のコンロッドの連結軸受部１０１から飛散する潤滑油が減速ギヤ７５等に供給されるので潤滑不足の問題はない。
【０１２１】
また上記キック軸１１０を出力軸４８の略垂直方向下方に配置したので、エンジン２の前後長さを小さくすることができるとともに、キック軸１１０を踏み込み易い位置に配置することができる。
【０１２２】
図１７ないし図１９は、本発明の第２実施形態を説明するための図であり、図中、図１ないし図１５と同一符号は同一又は相当部分を示す。本実施形態は、変速機ケース４５を空冷するように構成した例である。
【０１２３】
上記変速機ケース４５は、空気を内部に導入する導入口４５ｅと、空気を外部に排出する排出口４５ｆ，４５ｇとを備えている。上記導入口４５ｅは上記アルミニュウム合金製蓋体４５ｂに、上記駆動プーリ５５の軸心に一致するように形成されている。この導入口４５ｅには空気導入ダクト４５ｈの下流端開口が嵌合装着されており、該空気導入ダクト４５ｈは蓋体４５ｂにボルト締め固定され、車両前方に向けて延びている。
【０１２４】
上記が排出口４５ｆ，４５ｇは上記樹脂製のケース本体４５ａに形成され、上記変速機ケース４５とクランクケース２２との間の第２空間ａに向けて開口している。また上記各排出口４５ｆ，４５ｇは、ケース本体４５ａの、クランク軸２８と変速軸４７とを結ぶ線Ｅより上側の領域のみに位置するように、つまり上記各排出口４５ｆ，４５ｇの下縁が上記線Ｅより高所に位置するように、かつ、ケース本体４５ａのクランク軸挿通孔２８′と変速軸挿通孔４７′との間に位置するように形成されている。
【０１２５】
さらにまた、上記変速機ケース４５とクランクケース２２との間の第２空間ａを囲むように変速機ケース４５の外周に沿って壁部１００が形成されている。この壁部１００は、図１９に斜線を施した領域に形成されており、下部（斜線の施されていない領域）には開口１００ｃが形成され、上記第２空間ａはこの開口１００ｃにより外部空間に向かって開放されている。
【０１２６】
上記壁部１００は、上記クランクケース２２側に形成されたエンジン側壁部１００ａと、上記樹脂製のケース本体４５ａ側に形成された変速機側壁部１００ｂとを対向当接させることにより構成されている。
【０１２７】
さらにまた上記開口１００ｃは上記潤滑油室９５の膨出部２２ｂの上側に位置しており、該膨出部２２ｂと変速機ケース４５との間の第１空間ｂを介して外部に連通している。
【０１２８】
本第２実施形態によれば、上記変速機ケース４５に、空気を内部に導入する導入口４５ｅと、空気を外部に排出する排出口４５ｆ，４５ｇとを設けたので、変速機ケース４５内部に空気を導入して該ケース内を積極的に冷却できる。また、上記排出口４５ｆ，４５ｇを上記変速機ケース４５とクランクケース２２との間の第２空間ａに向けて開口させるとともに、該第２空間ａと第１空間ｂとを連通させたので、上記変速機ケース４５内に導入された空気は、上記排出口４５ｆ，４５ｇから第２，第１空間ａ，ｂを通って外部に効率良く排出される。そしてこの排出される空気により上記第２空間ａ，第１空間ｂに溜まった熱を排除できるとともに、この空気によってもクランケース側，潤滑油室側からの熱の伝達を抑制できる。
【０１２９】
また上記排出口４５ｆ，４５ｇを、変速機ケース４５のクランク軸と変速軸とを結ぶ線Ｅより上側領域のみに位置するように形成したので、変速機ケース４５内に雨水等が進入するのを抑制できる。
【０１３０】
また上記排出口４５ｆ，４５ｇをそれぞれ変速機ケース４５の駆動プーリ５５，従動プーリ５６の裏面に位置するように形成したので、変速機ケース内に導入された空気を熱の溜まり易いプーリ裏面を通るように流すことができ、変速機ケース４５内の温度上昇をより確実に防止できる。
【０１３１】
さらにまた上記変速機ケース４５とクランクケース２２との間の第２空間ａの上部を覆う壁部１００を形成し、該壁部１００の下部に開口１００ｃを形成したので、変速機ケース４５とクランクケース２２との間の第２空間ａから変速機ケース４５の上側領域に設けられた排出口４５ｆ，４５ｇに雨水等が進入するのを確実に防止できる。
【０１３２】
また上記壁部１００うち一部を上記樹脂製のケース本体４５ａに一体形成することで樹脂製としたので、この壁部１００を介してクランクケース側の熱が伝達されるのを抑制できる。
【０１３３】
なお、上記第１実施形態（図１〜図１５）のものに、上記第２実施形態（図１７〜図１８）で示した空気導入口４５ｅ，排出口４５ｆ，４５ｇを設けることも可能であり、このようにした場合には変速機ケース４５内の温度上昇をより一層確実に抑制できる。
【図面の簡単な説明】
【０１３４】
【図１】本発明の第１実施形態によるエンジンが搭載された自動二輪車の左側面図である。
【図２】上記エンジンの展開状態を示す断面平面図（図６のII-II 線断面図）である。
【図３】上記エンジンの無段変速機構，遠心クラッチ機構部分の断面平面図である。
【図４】上記エンジンの右側面図である。
【図５】上記エンジンの左側面図である。
【図６】上記エンジンの無段変速機構，遠心クラッチ機構を取り外した状態の右側面図である。
【図７】上記エンジンのクランクケースの右側面図である。
【図８】上記クランクケースの断面背面図（図５のVIII-VIII 線断面図）である。
【図９】上記エンジンのキック装置の断面図（図５のIX-IX 線断面図）である。
【図１０】上記キック装置の断面図である。
【図１１】上記エンジンの潤滑油経路を示す断面背面図である。
【図１２】上記遠心クラッチ機構の断面図である。
【図１３】上記遠心クラッチ機構の側面図である。
【図１４】上記遠心クラッチ機構の要部の拡大断面図である。
【図１５】上記遠心クラッチ機構の要部の拡大断面図である。
【図１６】従動プーリ部分の断面図である。
【図１７】本発明の第２実施形態エンジンの断面平面図である。
【図１８】上記第２実施形態エンジンの断面背面図である。
【図１９】上記第２実施形態エンジンの右側面図である。
【符号の説明】
【０１３５】
２  エンジン
１６  Ｖベルト式無段変速機
２２  エンジンケース
２２ｂ  膨出部
２２ｂ′  膨出側端面
２８  クランク軸
４５  変速機ケース
４５ａ  ケース本体（第１ケース）
４５ｂ  蓋体（第２ケース）
４５ｅ  導入口
４５ｆ  排出口
４７  変速軸
５５  駆動プーリ
５６  従動プーリ
５７  Ｖベルト
９５  潤滑油室
Ａ  気筒軸線
ａ  第２空間
ｂ  第１空間
Ｅ  クランク軸と変速軸とを結ぶ線
【図１】
2007278511.tif 000003
【図２】
2007278511.tif 000004
【図３】
2007278511.tif 000005
【図４】
2007278511.tif 000006
【図５】
2007278511.tif 000007
【図６】
2007278511.tif 000008
【図７】
2007278511.tif 000009
【図８】
2007278511.tif 000010
【図９】
2007278511.tif 000011
【図１０】
2007278511.tif 000012
【図１１】
2007278511.tif 000013
【図１２】
2007278511.tif 000014
【図１３】
2007278511.tif 000015
【図１４】
2007278511.tif 000016
【図１５】
2007278511.tif 000017
【図１６】
2007278511.tif 000018
【図１７】
2007278511.tif 000019
【図１８】
2007278511.tif 000020
【図１９】
2007278511.tif 000021